(57)【要約】【課題】レンズ駆動装置において、構造の簡素化、小型化を図る。【解決手段】光軸方向Ｌに軸線をもつ筒状部１１を画定するベース１０、レンズＧを保持すると共に筒状部に摺動自在に嵌合されるレンズ枠２０、レンズ枠に対して光軸方向へのカム作用を及ぼすべくベースに回動自在に支持されるカムリング３０、光軸方向においてレンズ枠をカムリングに向けて付勢する付勢部材４０を備え、付勢部材４０は、レンズ枠２０の前面２３を押圧するべく片持ち梁状に弾性変形可能に形成された３つの弧状押圧片４２、ベース１０に対して着脱自在に掛止される４つの掛止片４３を含む。これにより、付勢部材４０が従来のコイルスプリングと押え部材を兼ねるため、構造の簡素化、部品点数の削減、小型化等を達成できる。【選択図】図２
2008096494.tif 000002
【特許請求の範囲】
【請求項１】
光軸方向に軸線をもつ筒状部を画定するベース、レンズを保持すると共に前記筒状部に摺動自在に嵌合されるレンズ枠、前記レンズ枠に対して光軸方向へのカム作用を及ぼすべく前記ベースに回動自在に支持されるカムリング、光軸方向において前記レンズ枠を前記カムリングに向けて付勢する付勢部材を備え、
前記付勢部材は、前記レンズ枠の前面を押圧するべく片持ち梁状に弾性変形可能に形成された押圧片と、前記ベースに対して着脱自在に掛止される掛止片と、を含む、
ことを特徴とするレンズ駆動装置。
【請求項２】
前記レンズ枠は、円筒状に形成され、
前記付勢部材の押圧片は、前記レンズを露出させた状態で、前記レンズ枠の前面周縁領域に当接すると共に前方から覆うように周方向に沿って弧状に湾曲して形成された複数の弧状押圧片からなる、
ことを特徴とする請求項１記載のレンズ駆動装置。
【請求項３】
前記ベースは、外輪郭が略矩形形状に形成され、
前記掛止片は、前記ベースの四隅領域において光軸方向に伸長するように形成された４つの掛止片からなる、
ことを特徴とする請求項１又は２に記載のレンズ駆動装置。
【請求項４】
前記カムリングは、径方向に突出して形成された操作レバーを有し、
前記ベースは、その一側部において、前記操作レバーを回動操作可能に外部に突出させる切り欠き部を有する、
ことを特徴とする請求項３記載のレンズ駆動装置。
【請求項５】
前記付勢部材の押圧片は、その自由端領域において、前記レンズ枠の前面に係合して光軸回りの回転を規制する規制部を有し、
前記レンズ枠は、その前面において、前記規制部の係合により回転規制される被規制部を有する、
ことを特徴とする請求項１ないし３いずれかに記載のレンズ駆動装置。
【請求項６】
前記付勢部材は、弾性変形可能な金属材料により形成されている、
ことを特徴とする請求項１ないし５いずれかに記載のレンズ駆動装置。
【発明の詳細な説明】
【技術分野】
【０００１】
本発明は、レンズを光軸方向に移動させるレンズ駆動装置に関し、特に、携帯電話機、携帯型パーソナルコンピュータ、携帯型音楽プレーヤ等の携帯情報端末装置に適用されるモバイルカメラ、あるいは、監視カメラ、車載カメラ等に適用される小型のレンズ駆動装置に関する。
【背景技術】
【０００２】
従来のレンズ駆動装置（レンズ調整装置）としては、撮像素子等を保持し得るベース（固定鏡胴）、レンズを保持し光軸方向に移動自在に支持されたレンズ枠、レンズ枠に対して光軸方向にカム作用を及ぼすカムリング、レンズ枠を光軸方向の後方（カムリング）に向けて付勢するべくレンズ枠の前方に配置されたコイルスプリング、コイルスプリングを前方から押えて圧縮した状態に保持する押え部材等を備え、カムリングを適宜回転させることにより、レンズ枠を光軸方向に移動させるようにしたものが知られている（例えば、特許文献１参照）。
しかしながら、このレンズ駆動装置においては、押え部材とコイルスプリングが別部品となっているため、部品点数が多く、低コスト化、小型化が十分とは言えず、特に携帯情報端末装置等に搭載される小型のモバイルカメラ等のレンズ駆動装置として適用するのは困難である。
【０００３】
一方、カメラモジュールコネクタとして、シールドケースで囲繞したコネクタボックス、撮像素子及びレンズを保持すると共にコネクタボックス内に収容されて電気接続されるレンズユニット、レンズユニットをコネクタボックスに向けて付勢すると共に固定するべく弾性部材をもつ押圧部材等を備え、押圧部材の取り付けは、その側壁に設けられた係合孔をシールドケースの側壁に設けられた突起状の係合部に嵌め込むフック構造により行うものが知られている（例えば、特許文献２参照）。
しかしながら、このカメラモジュールコネクタにおいて、押圧部材は、光軸方向の所定位置に固定されるレンズユニット（の接続端子）をコネクタボックス（の接続端子）に電気的に接続させるために押圧力を及ぼして固定するものであり、光軸方向に移動自在なレンズユニット（レンズ枠）に対して押圧力を及ぼすものではない。したがって、このカメラモジュールコネクタの技術を、レンズ駆動装置に適用するのは困難である。
【０００４】
【特許文献１】特開平１０−１７０８０９号公報
【特許文献２】特開２００５−７３１３０号公報
【発明の開示】
【発明が解決しようとする課題】
【０００５】
本発明は、上記従来技術の事情に鑑みてなされたものであり、その目的とするところは、部品点数の削減、構造の簡素化、小型化、低コスト化等を図りつつ、組付け又は分解を容易に行うことができ、特に携帯電話機、携帯型パーソナルコンピュータ、携帯型音楽プレーヤ等のモバイルカメラに適したレンズ駆動装置を提供することにある。
【課題を解決するための手段】
【０００６】
本発明のレンズ駆動装置は、光軸方向に軸線をもつ筒状部を画定するベース、レンズを保持すると共に筒状部に摺動自在に嵌合されるレンズ枠、レンズ枠に対して光軸方向へのカム作用を及ぼすべくベースに回動自在に支持されるカムリング、光軸方向においてレンズ枠をカムリングに向けて付勢する付勢部材を備え、上記付勢部材は、レンズ枠の前面を押圧するべく片持ち梁状に弾性変形可能に形成された押圧片と、ベースに対して着脱自在に掛止される掛止片を含む、ことを特徴としている。
この構成によれば、カムリングをレンズ枠に回動自在に取り付け、レンズ枠を光軸方向の前方から筒状部に摺動自在に嵌合させ、その前方から付勢部材を近づけて、その押圧片をレンズ枠の前面に弾性変形させつつ当接させると共に、その掛止片をベースに掛止させる。これにより、レンズを保持したレンズ枠は、カムリングの回動によりベースの筒状部に対して光軸方向に移動自在に取り付けられる。
このように、付勢部材が従来のコイルスプリングと押え部材を兼ねるため、構造の簡素化、部品点数の削減、小型化等を達成でき、又、嵌合又は挿入という簡単な取り付け作業だけでレンズ駆動装置の組み付けを行うことができ、又、その分解も容易に行うことができる。
【０００７】
上記構成において、レンズ枠は、円筒状に形成され、付勢部材の押圧片は、レンズを露出させた状態で、レンズ枠の前面周縁領域に当接すると共に前方から覆うように周方向に沿って弧状に湾曲して形成された複数の弧状押圧片からなる、構成を採用することができる。
この構成によれば、複数の弧状押圧片が、レンズ枠を前方からカムリングに押圧する付勢力を及ぼすと共に、レンズ以外の部分を覆うカバーの一部として機能するため、別個にカバー部材を設ける必要がなく、その分だけ、部品点数を削減して構造を簡素化することができる。
【０００８】
上記構成において、ベースは、外輪郭が略矩形形状に形成され、付勢部材の掛止片は、ベースの四隅領域において光軸方向に伸長するように形成された４つの掛止片からなる、構成を採用することができる。
この構成によれば、掛止片がベースの四隅において掛止されるように形成されているため、ベースに対して付勢部材を堅固に固定することができると共に、掛止片同士の間を切り欠くことで、その領域に他の部品を適宜配置することができる。
【０００９】
上記構成において、カムリングは、径方向に突出して形成された操作レバーを有し、ベースは、その一側部において、操作レバーを所定の角度範囲で回動操作可能に外部に突出させる切り欠き部を有する、構成を採用することができる。
この構成によれば、ベースに対して回動自在に支持されたカムリングは、切り欠き部から外部に突出した操作レバーを回動操作することにより、適宜回転させることができる。また、付勢部材の掛止片同士の間に位置するベースの一側部において切り欠き部を設けることができ、その切り欠き部において操作レバーを回動自在に配置することができるため、ベースに対するカムリング及び付勢部材の組付けを、他の制約を受けることなく、容易に行うことができる。
【００１０】
上記構成において、付勢部材の押圧片は、その自由端領域において、レンズ枠の前面に係合して光軸回りの回転を規制する規制部を有し、レンズ枠は、その前面において、規制部の係合により回転規制される被規制部を有する、構成を採用することができる。
この構成によれば、押圧片の自由端領域に形成された規制部がレンズ枠の前面に形成された被規制部に係合することにより、光軸方向においてレンズ枠をカムリングに付勢する付勢力を及ぼすと共に、レンズ枠が光軸方向に移動する際に光軸回りに回転するのを規制することができる。
したがって、レンズ枠と筒状部の間において、回転を規制する構造（ガイド溝及びガイド溝に挿入される被ガイド部等）を採用する必要がなく、レンズ枠及びベースの構造を簡素化することができる。
【００１１】
上記構成において、付勢部材は、弾性変形可能な金属材料により形成されている、構成を採用することができる。
この構成によれば、付勢部材を弾性変形可能な金属材料で形成することにより、押圧片及び掛止片の厚さ、形状、及び付勢力等を所望の仕様に容易に設定することができ、又、全体の弾性力を利用して、レンズ枠を光軸方向に摺動自在に付勢しつつも確実に保持するように、容易に組付けることができる。
【発明の効果】
【００１２】
上記構成をなすレンズ駆動装置によれば、部品点数の削減、構造の簡素化、小型化、低コスト化等を達成しつつ、組付け又は分解を容易に行うことができ、特に携帯電話機、携帯型パーソナルコンピュータ、携帯型音楽プレーヤ等のモバイルカメラに適した小型のレンズ駆動装置を得ることができる。
【発明を実施するための最良の形態】
【００１３】
以下、本発明の最良の実施形態について、添付図面を参照しつつ説明する。
図１ないし図５は、本発明に係るレンズ鏡筒の一実施形態を示すものであり、図１はレンズ駆動装置の斜視図、図２はレンズ駆動装置の分解斜視図、図３はレンズ駆動装置の正面図、図４及び図５はレンズ駆動装置の光軸を含む面での断面図である。
【００１４】
このレンズ駆動装置は、図１ないし図５に示すように、略矩形状（直方体を光軸方向Ｌにおいて薄く縮めたような形状）をなすベース１０、レンズＧを保持したレンズ枠２０、レンズ枠２０に対して光軸方向Ｌにカム作用を及ぼすカムリング３０、光軸方向Ｌにおいてレンズ枠２０をカムリング３０に向けて付勢する付勢部材４０等を備えている。
そして、ベース１０の後方には、ローパスフィルター等のフィルタプレート１００、ＣＣＤ等の撮像素子１１０を保持した基板１２０が結合されることにより、カメラユニットが形成されるようになっている。
【００１５】
ベース１０は、樹脂材料を成型して形成され、図１ないし図５に示すように、光軸方向Ｌの前方から見て略矩形形状に形成され、光軸方向Ｌに軸線をもつ円筒状の筒状部１１、筒状部１１の前方において拡径して形成された拡径筒状部１２、一側部に形成された切り欠き部１３、所定の開口部１４ａを画定する底部１４、筒状部１１と底部１４の領域に形成されたガイド溝１５、四隅領域において形成された面取り部１６、面取り部１６から突出して形成された掛止突起１７、フィルタプレート１００，撮像素子１１０，基板１２０を装着するべく底部１４の背後に形成された凹部１８等を備えている。
【００１６】
筒状部１１は、後述するレンズ枠２０を光軸方向Ｌに摺動自在に支持するように形成されている。
拡径筒状部１２は、後述するカムリング３０を光軸Ｌ回りに回動自在に収容すると共に光軸方向Ｌにおいて受ける環状端面１２ａを画定するように形成されている。
切り欠き部１３は、後述するカムリング３０の操作レバー３２を外部に突出させると共に所定の角度範囲で回動可能に、その回動端を画定するように外向きに末拡がると共に前方に開口するように形成されている。
底部１４は、光を通す略矩形の開口部１４ａを画定するように形成されている。
ガイド溝１５は、後述するレンズ枠２０の被ガイド部２５を受け入れて光軸方向Ｌにおいてのみガイドするように形成されている。
【００１７】
面取り部１６は、後述する付勢部材４０の掛止片４３を光軸方向Ｌに沿うように接触させて、後述する掛止片４３の掛止孔４３ａを掛止突起１７に掛止させるべく案内するように形成されている。
掛止突起１７は、付勢部材４０の後述する掛止片４３に形成された掛止孔４３ａを掛止させるように、光軸方向Ｌに垂直な方向に突出して形成されている。
【００１８】
レンズ枠２０は、樹脂材料等を成型して形成され、図１ないし図５に示すように、レンズＧを内部に保持する円筒部２１、円筒部２１の前方においてレンズＧを露出させる開口部２２ａを画定する口径板２２、口径板２２の周りにおいて環状に形成されてレンズ枠２０の周縁領域を画定する前面２３、円筒部２１から径方向に突出するように形成されてカムリング３０の後述するカム面３１に当接する３つの当接部２４、円筒部２１の後方においてガイド溝１５に挿入されるように形成された被ガイド部２５等を備えている。
【００１９】
円筒部２１は、その内部においてレンズＧを保持すると共に、その外周面が筒状部１１に摺動自在に嵌合されるように形成されている。
口径板２２は、レンズＧを収容した後に円筒部２１に結合されるものであり、所定の口径をなす円形の開口部２２ａを画定するように形成されている。
前面２３は、後述する付勢部材４０の弧状押圧片４２の自由端部４２ａを当接させるように平坦に形成されている。
【００２０】
３つの当接部２４は、周方向において１２０度の間隔をあけた位置に形成されており、後述するカムリング３０のカム面３１に対して、光軸方向Ｌの前方から当接するように形成されている。
被ガイド部２５は、レンズ枠２０が光軸方向Ｌに移動するのを許容しつつ、レンズ枠２０が光軸Ｌ回りに回転するのを規制するべく、ベース１０のガイド溝１５に挿入されるように形成されている。
【００２１】
カムリング３０は、図１ないし図５に示すように、樹脂材料等を成型して環状に形成され、光軸方向Ｌの前方に向かう３つのカム面３１、外周から径方向に突出すると共に光軸方向に屈曲して伸長するように形成された操作レバー３２を備えている。
そして、カムリング３０は、ベース１０の拡径筒状部１２において光軸Ｌ回りに回動自在に収容（支持）されると共に、その回動により、カム面３１がレンズ枠２０の当接部２４に対して光軸方向Ｌへのカム作用を及ぼすようになっている。
【００２２】
付勢部材４０は、金属板等の打ち抜き成型等により形成されて、図１ないし図５に示すように、ベース１０の前方周縁領域を覆うように形成された矩形部４１、矩形部４１の内側においてレンズ枠２０の中央領域（レンズＧ及び口径板２２等）を露出させるべく協働して略円形の開口を画定するように形成された３つの弧状押圧片４２、矩形部４１の四隅領域から光軸方向Ｌに伸長して形成されかつその先端側に掛止孔４３ａを画定する４つの掛止片４３等を備えている。
【００２３】
矩形部４１は、レンズ枠２０を収容したベース１０の前方領域を覆うカバーの役割をなすと共に、３つの弧状押圧片４２を片持ち梁状に一体的に保持すると共に４つの掛止片４３を一体的に保持して、全体として弾性力を発生させる役割をなしている。
３つの弧状押圧片４２は、光軸方向Ｌから見て、レンズ枠２０の口径板２２の周りに沿うように円弧状に形成されると共に、成型された状態において、その自由端部４２ａが矩形部４１よりも光軸方向Ｌの後方に偏倚した状態に片持ち梁状に形成されている。
そして、光軸方向Ｌにおいて後方から前方に向けてその自由端部４２ａに荷重が加わると、弧状押圧片４２は弾性変形して、荷重に抵抗する逆向き（光軸方向Ｌにおいて後方向き）の付勢力を及ぼすようになっている。
【００２４】
掛止片４３は、ベース１０の面取り部１６に沿って光軸方向Ｌに伸長するように形成され、光軸方向Ｌに垂直な方向（面取り部１６に垂直な方向）に弾性変形可能に形成されている。そして、４つの掛止片４３は、協働してベース１０の四隅領域を挟持するように作用すると共に、その掛止孔４３ａがベース１０の掛止突起１７にスナップフィット結合により掛止させられることで、付勢部材４０をベース１０に対して堅固に固定するようになっている。
【００２５】
このように、付勢部材４０を、弾性変形可能な金属材料を用いて、矩形部４１、弧状押圧片４２、及び掛止片４３を一体成形することにより、弧状押圧片４２及び掛止片４３の厚さ、形状、及び付勢力等を所望の仕様に容易に設定することができ、又、レンズ枠２０を光軸方向Ｌに摺動自在に付勢しつつも確実に保持するように、全体の弾性力を有効に利用することができる。
【００２６】
次に、このレンズ駆動装置の組付け作業について説明する。
先ず、図２に示すように、ベース１０、カムリング３０、レンズＧを保持したレンズ枠２０、付勢部材４０を準備する。
そして、操作レバー３２を切り欠き部１３から外部に突出させるようにして、カムリング３０をベース１０の拡径筒状部１２に装着する。
【００２７】
続いて、円筒部２１を筒状部１１に摺動自在に嵌合させるように、かつ、被ガイド部２５をガイド溝１５に挿入させるようにして、レンズ枠２０を光軸方向Ｌの前方からベース１０に組み込み、その当接部２４がカムリング３０のカム面３１に当接するまで挿入する。
続いて、付勢部材４０を光軸方向Ｌの前方から近づけて、４つの掛止片４３を面取り部１６に沿わせるようにして後方に押し込み、掛止孔４３ａに掛止突起１７をスナップフィット結合させる。
【００２８】
すると、３つの弧状押圧片４２の自由端部４２ａは、レンズ枠２０の前面２３に当接して所定量だけ弾性変形した状態に保持される。すなわち、３つの弧状押圧片４２は、レンズ枠２０（の当接部２４）をカムリング３０（のカム面３１）に向けて押し付けるように、光軸方向Ｌの後方に向けて付勢力を及ぼした状態となる。
これにより、レンズ駆動装置の組付けが完了する。このように、嵌合又は挿入という簡単な手法により、組付け作業を容易に行うことができる。
【００２９】
上記のように、切り欠き部１３は、ベース１０に対して、面取り部１６の間の一側部に形成されているため、外部に突出させる操作レバー３２をもつカムリング３０を組み込んだ後においても、他の制約を受けることなく、付勢部材４０を容易に組付けることができる。
【００３０】
尚、上記組み付けが完成したレンズ駆動装置に対して、さらにフィルタプレート１００、撮像素子１１０を備えた基板１２０を準備し、ベース１０の後方に形成された凹部１８に装着することにより、カメラユニットが完成する。
【００３１】
一方、レンズ駆動装置を分解する場合は、４つの掛止片４３を面取り部１６から離す向きに弾性変形させて、掛止突起１７から掛止孔４３ａを離脱させる。
続いて、付勢部材４０をベース１０から取り外し、レンズ枠２０を筒状部１１から抜き取り、さらに、カムリング３０を拡径筒状部１２から抜き取る。これにより、レンズ駆動装置の分解が完了する。
このように、組付け後においても、離脱又は抜き取りという簡単な手法により、各部品を破損することなく、分解作業を容易に行うことができる。
【００３２】
次に、上記レンズ駆動装置の動作について説明すると、操作者が、操作レバー３２を掴んで、カムリング３０を光軸Ｌ回りに適宜回転させると、カム面３１が当接部２４にカム作用を及ぼして、レンズ枠２０は光軸方向Ｌに移動する。これにより、撮影位置を切り替えることができる。
この状態で、付勢部材４０の３つの弧状押圧片４２は、その自由端部４２ａがレンズ枠２０の前面２３に当接して、レンズ枠２０を光軸方向Ｌの後方に向けて付勢し、その当接部２４をカムリング３０のカム面３１に押付けるように作用している。
尚、撮影位置としては、カム面３１の形状を適宜設定することにより、例えば、広角端から望遠端まで連続的に切り替える構成、又は、通常の撮影位置とマクロ撮影位置の二点の撮影位置に切り替える構成等を採用することができる。
【００３３】
このように、付勢部材４０が、従来のコイルスプリングと押え部材を兼ねるため、構造の簡素化、部品点数の削減、小型化等を達成できる。また、部品点数が少なくなった分だけ、組付け作業及び分解作業を、少ない段取りで簡単に行うことができる。
また、付勢部材４０の３つの弧状押圧片４２は、レンズＧを露出させた状態で、レンズ枠２０の前面周縁領域（前面２３）に当接すると共に前方から覆うように口径板２２の周りにおいて周方向に沿って弧状に湾曲して形成されているため、レンズ枠２０を前方からカムリング３０に押圧する付勢力を及ぼす以外に、レンズＧ以外の部分を覆うカバーの一部として機能する。したがって、別個にカバー部材を設ける必要がなく、その分だけ、部品点数を削減して構造を簡素化することができる。
【００３４】
図６ないし図８は、本発明に係るレンズ駆動装置の他の実施形態を示すものであり、図６はレンズ駆動装置の分解斜視図、図７はレンズ駆動装置の正面図、図８はレンズ駆動装置の一部を拡大した部分拡大図である。尚、この実施形態において、前述の実施形態と同一の構成については同一の符号を付してその説明を省略する。
【００３５】
このレンズ駆動装置は、図６ないし図８に示すように、ベース１０´、レンズＧを保持したレンズ枠２０´、カムリング３０、付勢部材４０´等を備えている。
そして、カムリング３０、レンズ枠２０´、及び付勢部材４０´が組付けられた状態で、ベース１０´の凹部１８に対して、フィルタプレート１００、撮像素子１１０を保持した基板１２０が結合されることにより、カメラユニットが形成される。
【００３６】
ベース１０´は、前述のようなガイド溝１５を廃止した以外は、前述のベース１０と同様に形成されている。
レンズ枠２０´は、図６ないし図８に示すように、前述のような被ガイド部２５を廃止し、その前面２３において被規制部としての３つ溝２３ａを形成した以外は、前述のレンズ枠２０と同様に形成されている。
付勢部材４０´は、図６ないし図８に示すように、３つの弧状押圧片４２の自由端領域において、レンズ枠２０の溝２３ａに係合してレンズ枠２０´の回転を規制する規制部としての突起４２ａ´を備えている以外は、前述の付勢部材４０と同様に形成されている。
【００３７】
このレンズ駆動装置によれば、付勢部材４０´の弧状押圧片４２が、レンズ枠２０の前面２３に係合して光軸Ｌ回りの回転を規制する突起４２ａ´を有し、レンズ枠２０´が、その前面２３において、突起４２ａ´の係合により回転規制される溝２３ａを有するため突起４２ａ´がレンズ枠２０´の前面２３に形成された溝２３ａに係合するだけで、光軸方向Ｌに移動するのを許容しつつ、レンズ枠２０´を光軸方向Ｌにおいてカムリング３０に付勢すると共に、レンズ枠２０´が光軸Ｌ回りに回転するのを規制することができる。
【００３８】
したがって、レンズ枠２０´とベース１０´（筒状部１１）の間において、回転を規制する前述実施形態のような構造（ガイド溝１５及び被ガイド部２５等）を採用する必要がなく、レンズ枠２０´及びベース１０´の構造を簡素化することができる。
【００３９】
上記実施形態においては、付勢部材４０，４０´として、金属材料により形成されたものを示したが、これに限定されるものではなく、弾性変形可能なものであれば、樹脂材料により形成されたもの、あるいはその他の材料により形成されたものを採用してもよい。
上記実施形態においては、レンズ枠２０，２０´に対して径方向に突出する当接部２４を一体的に設けた場合を示したが、これに限定されるものではなく、当接部２４を廃止して、例えば、円筒部２１の後端面において、カムリング３０のカム面３１に当接する部分を形成してもよい。
【００４０】
上記実施形態においては、付勢部材４０，４０´がカバーを兼ねる構成を示したが、これに限定されるものではなく、前方を覆う必要がなければ、付勢部材をフレーム構造に形成してもよい。
上記実施形態においては、押圧片として３つの弧状押圧片４２を採用した場合を示したが、これに限定されるものではなく、１つ又は２つの押圧片あるいは４つ以上の押圧片、あるいは、弧状以外の形状をなす押圧片を採用してもよい。
上記実施形態においては、カムリング３０が手動操作により回動させられる場合を示したが、カムリングが電動により回動させられる構成において、本発明を適用してもよい。
【産業上の利用可能性】
【００４１】
以上述べたように、本発明のレンズ駆動装置は、部品点数の削減、構造の簡素化、小型化、低コスト化等を達成しつつ、組付け又は分解を容易に行うことができるため、特に、携帯電話機、携帯型パーソナルコンピュータ、携帯型音楽プレーヤ等のモバイルカメラに適用できるのは勿論のこと、監視カメラ、車載カメラ、あるいは、その他の小型化等が要求されないレンズ光学系にも有用である。
【図面の簡単な説明】
【００４２】
【図１】本発明に係るレンズ駆動装置の一実施形態を示す斜視図である。
【図２】図１に示すレンズ駆動装置の分解斜視図である。
【図３】図１に示すレンズ駆動装置の正面図である。
【図４】図１に示すレンズ駆動装置の断面図である。
【図５】図１に示すレンズ駆動装置の断面図である。
【図６】本発明に係るレンズ駆動装置の他の実施形態を示す分解斜視図である。
【図７】図６に示すレンズ駆動装置の正面図である。
【図８】図５に示すレンズ駆動装置の一部を拡大した部分拡大図である。
【符号の説明】
【００４３】
Ｌ  光軸方向
Ｇ  レンズ
１０，１０´  ベース
１１  筒状部
１２  拡径筒状部
１２ａ  環状端面
１３  切り欠き部
１４  底部
１４ａ  開口部
１５  ガイド溝
１６  面取り部
１７  掛止突起
１８  凹部
２０，２０´  レンズ枠
２１  円筒部
２２  口径板
２２ａ  開口部
２３  前面（前面周縁領域）
２３ａ  溝（被規制部）
２４  当接部
２５  被ガイド部
３０  カムリング
３１  カム面
３２  操作レバー
４０，４０´  付勢部材
４１  矩形部
４２  弧状押圧片
４２ａ  自由端部
４２ａ´  突起（規制部）
４３  掛止片
４３ａ  掛止孔
１００  フィルタプレート
１１０  撮像素子
１２０  基板
【図１】
2008096494.tif 000003
【図２】
2008096494.tif 000004
【図３】
2008096494.tif 000005
【図４】
2008096494.tif 000006
【図５】
2008096494.tif 000007
【図６】
2008096494.tif 000008
【図７】
2008096494.tif 000009
【図８】
2008096494.tif 000010